(57)【要約】【課題】操作ハンドルの操作により移動框を壁面から容易に引き離し可能とし、かつ操作ハンドルの操作後は該操作ハンドル及び押圧部材を原位置に自動的に復帰させ得る間仕切り装置の開閉装置を提供する。【解決手段】移動框３に対し操作ハンドル６を水平方向に回動可能に支持し、操作ハンドル６の回動により押圧部材１１を対向面１３に向かって出没させて吸着手段１７の吸着を解除する解除手段１０，１２を備え、操作ハンドル６には該操作ハンドル６を原位置に向かって付勢する付勢手段１４を備えた。【選択図】図３
2007303256.tif 000002
【特許請求の範囲】
【請求項１】
ハンガーレールに沿って移動可能に支持した間仕切り部材の端部に移動框を取着し、前記移動框を前記ハンガーレールに沿って移動させることにより本体部を引き出し及び畳み込み可能とし、前記移動框を引き出したとき該移動框をその対向面に保持する吸着手段を備えた間仕切り装置において、
前記移動框に対し操作ハンドルを回動可能に支持し、前記操作ハンドルの回動により押圧部材を前記対向面に向かって出没させて前記吸着手段の吸着を解除する解除手段を備え、前記操作ハンドルには該操作ハンドルを原位置に向かって付勢する付勢手段を備えたことを特徴とする間仕切り装置の開閉装置。
【請求項２】
前記操作ハンドルの支軸を前記移動框に設けた軸受部に回転可能に支持し、前記軸受部に前記押圧部材を移動可能に支持し、前記支軸に歯車を一体に形成し、前記押圧部材に前記歯車に噛み合うラックを設けて、前記解除手段を構成したことを特徴とする請求項１記載の間仕切り装置の開閉装置。
【請求項３】
前記操作ハンドルの支軸を前記移動框に設けた軸受部に回転可能に支持し、前記軸受部に前記押圧部材を移動可能に支持し、前記支軸に係止凸部を一体に形成し、前記押圧部材に前記係止凸部に係合する係止凹部を設けて、前記解除手段を構成したことを特徴とする請求項１記載の間仕切り装置の開閉装置。
【請求項４】
前記付勢手段は、前記軸受部を支点として前記操作ハンドルを付勢する捩りコイルスプリングで構成したことを特徴とする請求項２又は３記載の間仕切り装置の開閉装置。
【発明の詳細な説明】
【技術分野】
【０００１】
この発明は、アコーデオンカーテンや折戸等の間仕切り装置の開閉装置に関するものである。
【背景技術】
【０００２】
アコーデオンカーテンは、蛇腹状に伸縮可能としたカーテン生地を壁面間で引き出し、あるいは一方の壁面側に畳み込んで、室内空間を適宜に区画するものである。このようなアコーデオンカーテンでは、操作框が壁面に当接するまでカーテン生地を引き出したとき、カーテン生地に作用する復元力により、操作框が後退して、壁面との間に隙間が生じる。
【０００３】
そこで、移動框と壁面にマグネットの吸着力を利用した固定装置が設けられ、移動框を壁面に当接するまで移動させれば、固定装置により操作框の後退を阻止して、カーテン生地を全閉状態に保持するようになっている。
【０００４】
このような固定装置を備えたアコーデオンカーテンでは、マグネットの吸着力を強くすると、操作框を壁面から引き離す際に大きな操作力が必要となる。一方、マグネットの吸着力を弱くすると、操作框を確実に保持することができない。そこで、十分な吸着力を確保しながら、操作框を壁面から容易に引き離し可能とすることが必要である。
【０００５】
特許文献１には、ハンドルを回動させて、ハンドル受け部材を押圧することにより、スライド扉を開方向に移動させる構成が開示されている。
特許文献２には、レバー部材を回動操作して押圧部材をサッシ枠に押圧することにより、サッシを開放方向に移動させる構成が開示されている。
【特許文献１】実公昭６０−１１９１号公報
【特許文献２】特許第３５１２８７７号公報
【発明の開示】
【発明が解決しようとする課題】
【０００６】
特許文献１に記載された開閉装置では、ハンドルの回転操作に基づいて、ローラがハンドル受け部材上を転動するため、ハンドル受け部材のローラ転動面はローラが転動しやすい硬度と、ローラ転動方向に所要の長さが必要となる。
【０００７】
また、ハンドルを小型化するためにハンドルの傾斜部を短くすると、スライド扉の開操作時にスライド扉の所要の移動量を確保するためにはハンドルの回転角を大きくする必要がある。しかし、ハンドルの回転角が大きくなると、ハンドルを回動するにつれて、ハンドル受け部材を押圧する方向に作用する力が減少するため、ハンドルを回転させるための操作力が増大する。
【０００８】
さらに、ハンドルの回転角が増大すると、スライド扉を開方向へ移動させるとき、ハンドルが水平方向に近い角度となるため、スライド扉の移動操作が困難となる。また、ハンドルの操作後にそのハンドルを原位置に自動復帰させる構成は開示されていない。
【０００９】
特許文献２に記載されたサッシでは、レバー部材を回動させて押圧部材を突出させた後、レバー部材を待機位置に復帰させても、押圧部材は原位置に復帰しない。従って、押圧部材を原位置に復帰させる作業が煩雑であるとともに、原位置に復帰させないと、サッシの框から押圧部材が突出して美観上好ましくない。また、このような構成を間仕切り装置の框に設けると、框から突出した押圧部材が室内外への出入りの邪魔になるという問題点がある。
【００１０】
この発明の目的は、操作ハンドルの操作により移動框を壁面から容易に引き離し可能とし、かつ操作ハンドルの操作後は該操作ハンドル及び押圧部材を原位置に自動的に復帰させ得る間仕切り装置の開閉装置を提供することにある。
【課題を解決するための手段】
【００１１】
請求項１では、ハンガーレールに沿って移動可能に支持した間仕切り部材の端部に移動框を取着し、前記移動框を前記ハンガーレールに沿って移動させることにより本体部を引き出し及び畳み込み可能とし、前記移動框を引き出したとき該移動框をその対向面に保持する吸着手段を備えた間仕切り装置において、前記移動框に対し操作ハンドルを水平方向に回動可能に支持し、前記操作ハンドルの回動により押圧部材を前記対向面に当接させて前記吸着手段の吸着を解除する解除手段を備え、前記操作ハンドルには該操作ハンドルを原位置に向かって付勢する付勢手段を備えた。
【００１２】
請求項２では、前記操作ハンドルの支軸を前記移動框に設けた軸受部に回転可能に支持し、前記軸受部に前記押圧部材を移動可能に支持し、前記支軸に歯車を一体に形成し、前記押圧部材に前記歯車に噛み合うラックを設けて、前記解除手段を構成した。
【００１３】
請求項３では、前記操作ハンドルの支軸を前記移動框に設けた軸受部に回転可能に支持し、前記軸受部に前記押圧部材を移動可能に支持し、前記支軸に係止凸部を一体に形成し、前記押圧部材に前記係止凸部に係合する係止凹部を設けて、前記解除手段を構成した。
【００１４】
請求項４では、前記付勢手段は、前記軸受部を支点として前記操作ハンドルを付勢する捩りコイルスプリングで構成した。
【発明の効果】
【００１５】
本発明によれば、操作ハンドルの操作により移動框を壁面から容易に引き離し可能とし、かつ操作ハンドルの操作後は該操作ハンドル及び押圧部材を原位置に自動的に復帰させ得る間仕切り装置の開閉装置を提供することができる。
【発明を実施するための最良の形態】
【００１６】
（第一の実施の形態）
以下、この発明を具体化した間仕切り装置の一実施の形態を図面に従って説明する。図１に示すアコーデオンカーテンは、パンタグラフ状に伸縮する骨組み１の前後両側に表面材２が取着されて本体部（間仕切り部材）が構成され、その骨組み１の一端の支軸１ａに移動框３が相対回動可能に取着され、他端の支軸１ｂに固定框４が相対回動可能に取着されている。
【００１７】
前記固定框４は壁面５に固定され、前記移動框３の前後両面における上下方向中央部には操作ハンドル６が取着されている。
そして、前記骨組み１が複数のランナーを介してハンガーレールに移動可能に吊下支持され、操作ハンドル６を操作することにより骨組み１及び表面材２をハンガーレールに沿って伸縮可能となっている。
【００１８】
図２に示すように、操作ハンドル６はコ字状に形成され、その上下両端部に形成された支軸７が移動框３に設けられた軸受部８に回転可能に支持されている。また、軸受部８には操作ハンドル６の回動角度を所定範囲に規制する規制面９が形成され、図３に示す状態から図４に示す状態までの範囲で回動可能となっている。
【００１９】
前記ハンドル６には歯車１０が一体に形成され、その歯車１０に対向する位置において、前記軸受部８には押圧部材１１が移動框３の移動方向に沿ってスライド可能に支持されている。
【００２０】
前記押圧部材１１には歯車１０に噛み合うラック１２が一体に形成されている。そして、操作ハンドル６の回動に基づいて歯車１０が回転されると、各押圧部材１１が移動框３から柱面１３に向かって連動して出没するようになっている。
【００２１】
前記押圧部材１１の先端部は、移動框３の中心方向に向かって直角に屈曲され、柱面１３の幅が狭い場合にも、押圧部材１１の先端部が柱面１３に当接するようになっている。
前記各支軸７には捩りコイルスプリング１４が巻装され、その捩りコイルスプリング１４の一端は軸受部８に設けられた係止部１５に支持され、他端は操作ハンドル６に設けられた係止部１６に支持されている。そして、図３に示す状態から図４に示すように操作ハンドル６を回動させると、捩りコイルスプリング１４が蓄勢されて、操作ハンドル６を図３に示す状態に復帰させるための付勢力が生成されるようになっている。
【００２２】
前記操作ハンドル６の上方および下方の少なくとも２箇所において、移動框３の先端面にはマグネット（吸着手段）１７がそれぞれ嵌着され、そのマグネット１７の端面すなわち柱面１３に対向する面にはヨーク板１８が露出されている。
【００２３】
前記柱面１３において、前記各マグネット１７に対向する位置には、磁性材にてなる吸着板１９が取着されている。そして、移動框３が柱面１３近傍まで引き出されて、ヨーク板１８が吸着板１９に当接すると、マグネット１７の吸着力によりヨーク板１８が吸着板１９に吸着保持されるようになっている。
【００２４】
さて、上記のようなアコーデオンカーテンでは、柱面１３に保持されている移動框３を開放方向に移動させるとき、図４に示すように操作ハンドル６を回動させると、押圧部材１１が突出されて移動框３が支軸１ａを支点として回動され、ヨーク板１８が吸着板１９から順次引き離される。
【００２５】
また、操作ハンドル６を手放せば、捩りコイルスプリング１４の付勢力により操作ハンドル６及び押圧部材１１が図３に示す状態に自動的に復帰する。
上記のように構成されたアコーデオンカーテンの操作ハンドル６では、次に示す作用効果を得ることができる。
（１）操作ハンドル６を操作することにより移動框３を移動させて、アコーデオンカーテンの本体部をハンガーレールに沿って引き出し、あるいは畳み込むことができる。
（２）移動框３に取着されたマグネット１７を柱面１３の吸着板１９に吸着させることができるので、本体部を全閉状態まで引き出したとき、移動框３を柱面１３に密接する状態に保持して、本体部を全閉状態に保持することができる。
（３）移動框３が柱面１３に保持されている状態から本体部を開放するとき、操作ハンドル６の回動操作により、移動框３を柱面１３に対し回動させて、マグネット１７のヨーク板１８を吸着板１９から順次引き離すことができる。従って、移動框３を柱面１３から引き離すための操作力を軽減することができる。
（４）操作ハンドル６の回転操作により、ラック・ピニオン機構を介して押圧部材１１を突出させて移動框３を柱面１３に対し回動させることができる。従って、移動框３を柱面１３から引き離すための操作力を軽減することができる。
（５）ラック・ピニオン機構により、操作ハンドル６を大型化することなく、移動框３を柱面１３から引き離すための所要の操作力を確保することができる。従って、操作ハンドル６の大型化による美観の低下あるいはコストの上昇を防止することができる。
（６）押圧部材１１の先端部を移動框３の近傍まで延設したので、柱面１３の幅が狭い場合にも、押圧部材１１を柱面１３に確実に当接させることができる。
（７）操作ハンドル６に内蔵された捩りコイルスプリング１４により、操作ハンドル６を手放したとき、操作ハンドル６及び押圧部材１１を図３に示す原位置に自動的に復帰させることができる。従って、操作ハンドル６の美観を向上させることができるとともに、居住者の出入りに際し、押圧部材１１が邪魔になることはない。
（８）支軸７に巻装された捩りコイルスプリング１４により、操作ハンドル６を付勢するので、付勢手段の収容スペースを縮小して、操作ハンドル６の大型化を防止することができる。
（第二の実施の形態）
図５及び図６は、第二の実施の形態を示す。この実施の形態は、前記第一の実施の形態の歯車１０とラック１２の構成を変更したものであり、その他の構成は第一の実施の形態と同様である。第一の実施の形態と同一構成部分は、同一符号を付して説明する。
【００２６】
押圧部材１１の基端部には、係止凹部２０が形成され、前記支軸７には係止凹部２０に係合する係止凸部２１が形成されている。そして、図６に示すように、操作ハンドル６を回動させると、係止凸部２１が回動されて、押圧部材２１が突出されるようになっている。
【００２７】
上記のような構成は、第一の実施の形態の歯車１０及びラック１２の歯を一つとした構成に相当する。そして、このような構成でも前記第一の実施の形態と同様な作用効果を得ることができる。
【００２８】
上記実施の形態は、以下の態様で実施してもよい。
・上記各実施の形態の操作ハンドルは、折戸に使用してもよい。
・操作ハンドルを原位置に向かって付勢する付勢手段は、押圧部材を可動框に向かって没入する方向に付勢するコイルスプリングとしてもよい。
・上記実施の形態では、操作ハンドルを水平方向に回動する構成としたが、操作ハンドルを垂直方向に回動し、その回転に基づいて歯車及びラックを介して押圧部材を対向面に向かって突出させる構成としてもよい。
【図面の簡単な説明】
【００２９】
【図１】アコーデオンカーテンを示す平面図である。
【図２】第一の実施の形態の操作ハンドルを示す正面図である。
【図３】第一の実施の形態の操作ハンドルを示す平面図である。
【図４】第一の実施の形態の操作ハンドルの動作を示す平面図である。
【図５】第二の実施の形態の操作ハンドルを示す平面図である。
【図６】第二の実施の形態の操作ハンドルの動作を示す平面図である。
【符号の説明】
【００３０】
１…間仕切り部材（骨組み）、２…間仕切り部材（表面材）、３…移動框、６…操作ハンドル、１０…解除手段（歯車）、１１…押圧部材、１２…解除手段（ラック）、１３…対向面（柱面）、１４…付勢手段（捩りコイルスプリング）、１７…吸着手段（マグネット）、２０…解除手段（係止凹部）、２１…解除手段（係止凸部）。
【図１】
2007303256.tif 000003
【図２】
2007303256.tif 000004
【図３】
2007303256.tif 000005
【図４】
2007303256.tif 000006
【図５】
2007303256.tif 000007
【図６】
2007303256.tif 000008